(57)【要約】【課題】  携帯電話などで思い立ったその場で撮影できる写真撮影の手軽さと比して、その写真を公開するためのアップロードには手間がかかる、という課題がある。【解決手段】  上記課題を解決するために本発明では、所謂空メールを利用して、携帯端末で撮影した電子写真をサーバに手軽に送信し、その電子写真に様々な加工を施し表示させる電子写真公開方法を提供する。この電子写真公開方法は、電子写真撮像ステップと、電子写真送信ステップと、アクセス情報付メール受信ステップと、アクセスステップと、加工用情報入力ステップと、表示ステップと、からなる。【選択図面】  図１【特許請求の範囲】
【請求項１】
携帯端末にて電子写真を撮像する電子写真撮像ステップと、
前記ステップにて撮像した電子写真を、送信先メールアドレス以外入力不要な空メールによりサーバに対して送信する電子写真送信ステップと、
前記ステップにより送信された電子写真を表示する表示ステップと、
を有する電子写真公開方法。
【請求項２】
前記電子写真送信ステップにて送信した空メールに基づいて前記サーバより返信される、電子写真を加工するための情報である加工用情報を入力するためのＷｅｂページである加工用情報入力ページにアクセスするためのアクセス情報を含むアクセス情報付メールを受信するアクセス情報付メール受信ステップと、
前記ステップにて受信したアクセス情報に基づいて、前記加工用情報入力ページにアクセスするアクセスステップと、
前記ステップにてアクセスした加工用情報入力ページにおいて加工用情報を入力する加工用情報入力ステップと、
をさらに有し、
前記表示ステップは、前記加工用情報入力ステップで入力した加工用情報に基づいて加工された電子写真を表示する請求項１記載の電子写真公開方法。
【請求項３】
携帯端末にて電子写真を撮像する電子写真撮像ステップと、
送信先メールアドレス以外入力不要な空メールをサーバに対して送信する空メール送信ステップと、
電子写真を加工するための情報である加工用情報を入力するためのＷｅｂページである加工用情報入力ページにアクセスするためのアクセス情報と、前記電子写真の送信先情報とを含み、前記ステップにて送信した空メールに基づいて前記サーバより返信された返信メールを受信する返信メール受信ステップと、
前記ステップにて受信した送信先情報に基づいて電子写真を送信する電子写真送信ステップと、
前記ステップにて受信したアクセス情報に基づいて、前記加工用情報入力ページにアクセスするアクセスステップと、
前記ステップにてアクセスした加工用情報入力ページにおいて加工用情報を入力する加工用情報入力ステップと、
前記ステップにて入力した加工用情報に基づいて加工された電子写真を表示する表示ステップと、
を有する電子写真公開方法。
【請求項４】
前記アクセス情報は、前記アクセスする者に個別に用意されたＷｅｂページである利用者専用入り口ページへのアクセス情報であり、前記加工用情報入力ページは該利用者専用入り口ページにリンクされていることを特徴とする請求項２又は３記載の電子写真公開方法。
【請求項５】
前記電子写真の表示を制限するための情報である表示制限情報を取得する表示制限情報取得ステップをさらに有し、
前記表示ステップにおいて、前記取得した表示制限情報に基づいて電子写真を表示する請求項１ないし４のいずれか一に記載の電子写真公開方法。
【発明の詳細な説明】
【技術分野】
【０００１】  本発明は、携帯端末にて撮像した電子写真をサーバに送信し表示させる技術に関する。
【背景技術】
【０００２】  現在、カメラ付携帯電話が普及し、手軽にその場で写真を撮影することできるようになっている。そして、このようにして撮影した写真をサーバにアップロードして公開する技術が、特開２００２−２７８９９３号広報（特許文献）にて開示されている。これは、例えば旅行などの行動記録（時間、位置情報など）に基づいて、その旅行中に撮影した写真をサムネイルとして地図上に表示させる技術である。
【特許文献】  特開２００２−２７８９９３号公報
【発明の開示】
【発明の解決しようとする課題】
【０００３】  しかし従来技術においては、撮影した写真をアップロードするためには一旦パソコンに写真データを移動させ、そのパソコンからサーバにアクセスしアップロードを行っていた。あるいは撮影した携帯電話などから直接アップロードする場合は、検索などの使い勝手の良くない携帯電話用のＷｅｂブラウザを使ってアップロード用のＷｅｂページを探すなどする必要がある。つまり思い立ったその場で撮影できる写真撮影の手軽さと比して、その写真を公開するためのアップロードには手間がかかる、という課題がある。
【課題を解決するための手段】
【０００４】  上記課題を解決するために本発明では、所謂空メールを利用して、携帯端末で撮影した電子写真をサーバに手軽に送信し、その電子写真に様々な加工を施し表示させる電子写真公開方法を提供する。この電子写真公開方法は、電子写真撮像ステップと、電子写真送信ステップと、アクセス情報付メール受信ステップと、アクセスステップと、加工用情報入力ステップと、表示ステップと、からなる。
【０００５】  なお「空メール」とは、送信先メールアドレス以外入力不要なメールのことをいうが、勿論その実施において、メールの本文や件名にユーザーの個人情報などその他の情報が入力される場合もありうる。
【発明の効果】
【０００６】  以上のように送信先のメールアドレス以外入力の必要の無い空メールを利用することで、その場で気軽に撮影した電子写真を、撮影と同様の簡単さでサーバにアップロードしＷｅｂ上で公開することができる。そして、気軽に公開可能となることで様々なユーザーが集まるので、その公開した電子写真を通じ多くのコミュニケーションを取る事も可能となる。
【発明を実施するための最良の形態】
【実施例】
【０００７】  以下、図面を用いて本発明の実施の形態について説明する。なお、本発明はこれら実施の形態に何ら限定されるものではなく、その要旨を逸脱しない範囲において、種々なる態様で実施しうる。【０００８】  （本発明の好適な実施例）【０００９】  まず本発明の電子写真公開方法を実施する形態の一例について説明する。ここに、あるスポーツを楽しんでいる少年Ａがいる。このＡは友達同士でそのスポーツを楽しむだけでなく、どこかのチームに所属して専門的な練習を受け、またより強い選手と試合しそのスポーツを楽しみたいと感じていた。そこでＡは自分の写真とアピール情報をインターネット上で公開し、スカウトされようと考えた。そこでこの図にあるように、まず、Ａは自分のカメラ付携帯電話で自分の写真を撮影し、その写真を添付した空メールをスポーツショップなどで知ったアドレスに対して送信する。すると、Ａは各種情報を入力するためのＷｅｂページのアドレスが記載された返信メールを受信する。Ａは、その返信メールに記載されているアドレスをクリックしそのＷｅｂページを携帯電話に表示させる。そこで居住地域やアピールポイント、足の速さや筋力などの情報を入力する。すると、Ａの写真は、その各種情報とともにＷｅｂ上で公開されることになる。【００１０】  このように、空メールを送り各種情報を入力するだけでＡは簡単に自身の写真付の選手データをアップロードしＷｅｂ上で公開することが出来た。そして、例えば、そのスポーツのあるチームの監督がＡの写真が公開されているＷｅｂサイトを閲覧し、Ａの情報を見てＡをスカウトする、ということになる。【００１１】  （実施例におけるシステムの構成）【００１２】  図１を用いて、次に本発明の電子写真公開方法を実施するシステムの機能ブロックの一例を説明する。この図にあるように、本システムは「携帯端末」（０１００）と、「サーバ」（０１１０）と、からなる。携帯電話は、「撮像部」（０１０１）と、「電子写真送信部」（１０２）と、［アクセス情報付メール受信部」（０１０３）と、「アクセス部」（０１０４）と、「加工用情報入力部」（０１０５）と、「表示部」（図示省略）と、を有する。【００１３】  「サーバ」（０１１０）は、「電子写真受信部」（０１１１）と、「アクセス情報付メール送信部」（０１１２）と、「加工用情報取得部」（０１１３）と、「生成部」（０１１４）とを有する。【００１４】  まず、携帯端末の構成について説明する。なお「携帯端末」とは、手軽に撮影した写真を空メールで手軽にアップロードするという目的から、メール機能と撮影機能を備えた携行性の高いものであることが好ましい。例えば、カメラ付携帯電話が挙げられるが、勿論それに限定されることはなく、ＰＤＡなどにカメラ機能がついたものや外部カメラを接続したものなどであっても良い。【００１５】  「撮像部」（０１０１）は、携帯端末にて電子写真を撮像する機能を有する。この撮像部は、例えば、カメラ付携帯電話のカメラ部分や、ＰＤＡなど携行性の高い携帯端末に取り付け可能なカメラ装置などが挙げられる。【００１６】  「電子写真送信部」（０１０２）は、前記撮像部にて撮像した電子写真を、送信先メールアドレス以外入力不要な空メールによ���サーバに対して送信する機能を有する。
このように、空メールを利用することで、ユーザーは送信先メールアドレス以外を入力する必要が無く、したがって前記撮像部で気軽に撮った電子写真を気軽にサーバに対して送信することが可能となる。【００１７】  また、送信先メールアドレスの取得に関しては、例えば携帯電話の充電器に取り付けるアタッチメントのような外部機器を利用して自動的に取得されるようにしても良い。さらに、そのアタッチメントなどに携帯電話を自動で操作し、送信先メールアドレスが入力済みのメール作成画面を表示させるプログラムが組み込まれていれば、ユーザーはより気軽に電子写真を送信することができる。また、このアタッチメントは、上記のようにスポーツの電子写真を送信する場合なら、スポーツショップやジムなどの店頭で貸出、配布などされていると更に便利である。【００１８】  「アクセス情報付メール受信部」（０１０３）は、前記電子写真送信部にて送信した空メールに基づいて前記サーバより返信される、加工用情報入力ページにアクセスするためのアクセス情報を含むアクセス情報付メールを受信する機能を有する。「加工用情報入力ページ」とは、電子写真を加工するための情報である加工用情報を入力するためのＷｅｂページをいう。【００１９】  ユーザーは、受信したアクセス情報付メールの本文欄に記載されているアクセス情報である例えばＵＲＬをクリックすることで、この加工用情報入力ページに簡単にアクセスすることができる。【００２０】  そしてこの加工用情報入力ページに入力された加工用情報によって、前記送信した電子写真に情報が付加されＷｅｂ上で公開される（詳細は後述）。加工用情報として、例えば、前述のように自分の足の速さや筋力の数値を入力したならば、その数値をグラフ化したものを写真と並べたり重ねたりするなどして表示することになる。また、その他の加工用情報の例として、自身の名前や年齢などの属性情報、写真のサイズや色情報を変更するための情報、写真に関連する場所や地域、又は携帯端末のＧＰＳ機能などを利用して取得された位置情報、送信した電子写真と合成するテンプレート画像を指定するための情報なども挙げられる。【００２１】  「アクセス部」（０１０４）は、前記アクセス情報付メールにて受信したアクセス情報に基づいて、前記加工用情報入力ページにアクセスする機能を有する。このアクセス部は、例えば、携帯電話のインターネット接続機能が挙げられる。そのインターネット接続機能により、前述のように、ユーザーは受信したアクセス情報付メールのＵＲＬをクリックして加工用情報入力ページにアクセスする。【００２２】  「加工用情報入力部」（０１０５）は、前記アクセス部にてアクセスした加工用情報入力ページにおいて加工用情報を入力する機能を有する。ここで入力される加工用情報は後述するサーバ（０２１０）に取得され、そのサーバにおいて加工用情報に基づいて前記送信した電子写真を利用したＷｅｂ上での表示画面が生成されることになる。【００２３】  「表示部」は、前記加工用情報入力部にて入力した加工用情報に基づいて加工された電子写真を表示する機能を有する。ただし、勿論この表示部は、表示される電子写真が不特定または特定多数に公開することを目的としている���とから電子写真の送信元の携帯端末のディスプレイなどに限定されることは無く、Ｗｅｂに接続されたユーザー端末の表示画面が該当する。【００２４】  続いて「サーバ」（０１１０）について説明する。このサーバはＷｅｂに接続され、携帯端末からの空メールを受信しその電子写真を蓄積し、また取得した加工用情報に基づいて前記表示部で表示するための表示画面を生成する。【００２５】  「電子写真受信部」（０１１１）は、携帯端末の電子写真送信部にて送信された空メールを受信し、その空メールに例えば添付されている電子写真を取得する機能を有する。【００２６】  「アクセス情報付メール送信部」（０１１２）は、前記電子写真受信部で受信した空メールに対してアクセス情報付メールを返信する機能を有する。ここでは、前記受信した空メールのヘッダに含まれる送信元の携帯端末のメールアドレスに対して、例えば加工用情報入力ＷｅｂページのＵＲＬ情報などのアドレス情報を含む定型文などをメールに貼り付け返信する。【００２７】  「加工用情報取得部」（０１１３）は、前記携帯端末の加工用情報入力部で入力された加工用情報を取得する機能を有する。加工用情報の取得は、このサーバ内の情報によってＷｅｂ上で表示される加工用情報入力Ｗｅｂページから取得する。ただし、サーバの負荷を軽減するために前記加工用情報入力Ｗｅｂページを表示させるサーバは別にあってもよい。【００２８】  また、ここで取得した加工用情報はユーザーごとの履歴情報としてサーバ内に蓄積され、次回からの加工に利用されても良い。【００２９】  「生成部」（０１１４）は、前記電子写真受信部にて受信した電子写真と、前記加工用情報取得部で取得した加工用情報に基づいて、前記携帯端末の表示部で表示するための表示画面を生成する機能を有する。【００３０】  図２に示すのは、その生成された表示画面の一例である。この図にあるように、例えば、日本地図上に電子写真受信部で受信した電子写真が表示されている。また、その表示に際しては、加工用情報取得部で取得した加工用情報である出身地と関連付けてこの写真が表示されるよう加工されており、また、同様に加工用情報である走力やシュート力なども、写真と合わせて表示されるように加工されている。【００３１】  このように、「加工」とは、例えば加工用情報によって取得した情報を電子写真とあわせて表示するような画面を生成することや、その他にも、例えば加工用情報として写真のサイズなどを取得していれば電子写真そのものをそのサイズに加工することなどが挙げられる。【００３２】  また、その他にも、加工用情報として入力された個人情報や地域、位置情報などを検索キーとして、利用者が表示される電子写真を検索できるようにしてもよい。【００３３】  （処理の流れ）【００３４】  図３に示すのは、本発明の電子写真公開方法の処理の流れの一例を表すフローチャートである。まず、携帯端末にて電子写真を撮像する（ステップＳ０３０１）。次に、前記ステップＳ０３０１にて撮像した電子写真を、空メールによりサーバに対して送信する（ステップＳ０３０２）。続いて、前記ステップＳ０３０２にて送信した空メールに基づいて前記サーバより返信される加工用情報入力ページにアクセスするためのアクセス情報を含むアクセス情報付メールを受信する（ステップＳ０３０３）。さらに、前記ステップＳ０３０３にて受信したアクセス情報に基づいて、前記加工用情報入力ページにアクセスする（ステップＳ０３０４）。そして、前記ステップＳ０３０４にてアクセスした加工用情報入力ページにおいて加工用情報を入力する（ステップＳ０３０５）。最後に、前記ステップにて入力した加工用情報に基づいて加工された電子写真を表示する（ステップＳ０３０６）。【００３５】  （効果の簡単な説明）【００３６】  以上のように、その場で気軽に撮影した電子写真を、撮影と同様の簡単さで写真をサーバにアップロードしＷｅｂ上で公開することができる。【００３７】  （実施形態のその他の例１）【００３８】  また、上記のように電子写真を空メールによりサーバに送信する以外の電子写真公開方法のその他の実施例として、アクセス情報付メールにアクセス情報に加え電子写真の送信先情報も含ませることで電子写真をサーバに送信する方法もありうる。【００３９】  この場合、Ｗｅｂからのアップロード機能を有する携帯端末にその利用が限定されるが、メールに添付して送信するよりも情報量が少なくてすむので、通信速度が速くなり、また通信料も抑えられる効果もある。【００４０】  （実施形態のその他の例２）【００４１】  また、アクセス情報が利用者専用入り口ページへのアクセス情報であり、前記加工用情報入力ページは該利用者専用入り口ページにリンクされていてもよい。【００４２】  「利用者専用入り口ページ」とは、加工用情報入力ページにアクセスする者に個別に用意されたＷｅｂページをいう。このように、利用者ごとに入り口用のページを用意することで、例えば、ＩＤなどの入力を行わなくとも利用者の認証を簡単に行うことが可能になる。本発明のように、写真の公開などのサービスにおいては公序良俗に反するような写真の送信などのいたずら行為が問題となりやすい。つまり利用者の認証が重要となり、そこで上記のように簡単に利用者の認証が可能になると便利である。【００４３】  また、この利用者専用入り口ページは加工用情報人力ページ以外にも関連するコミュニティサイトやその他の情報表示ページへのリンクがなされていたりしても良い。また、利用者ごとにカスタマイズ可能にすると利用者の利便性も高まる。【００４４】  なお、利用者専用入り口ページは必ずしも一人に一ページである必要はなく、例えばあるグループに一ページ用意されていて、そのグループの構成員は皆そのページを利用することもありうる。【００４５】  （実施形態のその他の例３）【００４６】  また、表示制限情報を取得する表示制限情報取得ステップをさらに有し、前記表示ステップにおいて、前記取得した表示制限情報に基づいて電子写真を表示するようにしても良い。【００４７】  「表示制限情報」とは、前記電子写真の表示を制限するための情報をいい、例えば、写真の公開の有無を識別する情報や、公開した写真の量を示す情報、公開した写真に対する第三者の評価の値を示す情報や、年齢を示す情報などが挙げられる。【００４８】  このように、公開した写真の有無や量によって表示される写真が制限されることで、利用者に対する写真の公開��インセンティブを高めることができる。また、第三者からの評価によって表示される写真が制限されることで、公開される写真の質を高め、また悪意ある写真の公開をする者のサービスの利用などに制限を加えることができる。また、年齢によって公開する写真が制限されることで、子供に見せたくない写真が子供に対して公開されることを防ぐことができる。
【産業上の利用可能性】
【００４９】  本発明は撮像した電子写真をメールを用いてサーバに送信することで、Ｗｅｂを通して写真をアップロードする機能の無い携帯端末においても適用できる。
【図面の簡単な説明】
【００５０】
【図１】実施形態の電子写真公開方法を実施するシステムの機能ブロックの一例を表す図
【図２】実施形態により生成された表示画面の一例を表す図
【図３】実施形態の電子写真公開方法の処理の流れの一例を表すフローチャート
【符号の説明】
【００５１】０１００  携帯端末
０１０１  撮像部
０１０２  電子写真送信部
０１０３  アクセス情報付メール受信部
０１０４  アクセス部
０１０５  加工用情報入力部
０１０６  表示部
０１１０  サーバ
０１１１  電子写真受信部
０１１２  アクセス情報付メール送信部
０１１３  加工用情報取得部
０１１４  生成部
【図１】
2005038365.tif 000002
【図２】
2005038365.tif 000003
【図３】
2005038365.tif 000004